(57)【特許請求の範囲】
【請求項１】
扉を開けたときに発生する開扉信号を制御器を構成する禁止ゲートの入力端子に供給すると共に、シリンダ錠を室外側から施解錠操作したとき発生する錠前操作信号をタイマーを介して上記禁止ゲートの禁止入力端子に供給し、この禁止ゲートの出力により音声による施錠の催告をする奏鳴器を作動させるようにし、以て、帰宅時シリンダ錠を解錠したときに発生する錠前操作信号により、タイマーの作動時間中開扉信号が発生しても、禁止ゲートからの出力を無くして奏鳴器が作動しないようにする一方、室内側からサムターンを操作して扉を開けたときには施錠の催告をするようにしたことを特徴とする施錠催告装置。
【発明の詳細な説明】
【０００１】
【発明の属する技術分野】
この発明は新規な施錠催告装置に関する。
【０００２】
【従来の技術】
近年、施錠確認装置なるものが提案され、実用されている。この施錠確認装置は、鍵自体に錠前の施、解錠の履歴を表示することができるもので、外出先で鍵を見ることにより現在錠前が施錠されているか否かを確認することができる。
【０００３】
しかしながら、この施解錠確認装置は、錠前が施錠されているときのみそれを確認して安心できる、という機能或いは効果を有するが、施錠を忘れて外出したとき遠隔施錠ができるというものではない。
【０００４】
一方、近年実用され始めた外出確認信号錠は、錠前の施解錠操作を室内側からのものであるか、或いは室外側からのものであるかを判別し、室内に人が居るか、または外出中であるかを検定して建物の総合的な管理の為のデータ取りに使用される。
【０００５】
しかしながら、かかる外出確認信号錠は、施錠を忘れて外出したときには在室であるという判定をするので、管理システムに誤ったデータを与えることになる。
【０００６】
【発明が解決しようとする課題】
そこで、この発明は、上記した施解錠確認装置や外出確認信号錠の不都合を解消し、外出時施錠を音声により催告する新規な施錠催告装置を提供することを目的としている。
【０００７】
【課題を解決するための手段】
上記の目的を達成するため、この発明は、扉を開けたときに発生する開扉信号を制御器を構成する禁止ゲートの入力端子に供給すると共に、シリンダ錠を室外側から施解錠操作したとき発生する錠前操作信号をタイマーを介して上記禁止ゲートの禁止入力端子に供給し、この禁止ゲートの出力により音声による施錠の催告をする奏鳴器を作動させるようにし、以て、帰宅時シリンダ錠を解錠したときに発生する錠前操作信号により、タイマーの作動時間中開扉信号が発生しても、禁止ゲートからの出力を無くして奏鳴器が作動しないようにする一方、室内側からサムターンを操作して扉を開けたときには施錠の催告をするようにしたことを特徴とする。
【０００８】
【発明の実施の形態】
以下、図面に示す実施例に基づいてこの発明について説明する。
図１乃至図３において符号１はシリンダ錠の全体を示し、このシリンダ錠１は外筒２と、この外筒２の内側に回動可能に嵌合した内筒３とを有しており、かかる構成は従来周知のシリンダ錠と変るところはないから、更に詳細な説明は省略する。なお、図３においては、図面を簡略にするため、内筒３のタンブラー群を省略して示す。
【０００９】
上記外筒２の外面の一部は肉を盗まれて平面部２ａが形成されており、この平面部２ａに第一リードスイッチ４が例えばビス止めにより固定されている。
【００１０】
一方、図３に示すように、内筒３の外面には一対の第一永久磁石５，５が装着されている。これらの第一永久磁石５，５は、勿論、施、解錠時内筒３と一体に回動する。
【００１１】
上記第一永久磁石５，５は、図３及び図４に示すように、外筒２に固定された第一リードスイッチ４に対し、内筒３が図４の中央に示すように合鍵の抜き差しが可能な鍵挿入角度位置にあるとき、第一永久磁石５，５が第一リードスイッチ４に近接してこれを駆動できるような位置関係で装着されている。
【００１２】
図示の実施例においては、第一永久磁石が第一リードスイッチ４に近接すると第一リードスイッチ４が閉成されるものとする。
【００１３】
なお、第一リードスイッチ４を駆動するために一対の永久磁石を用いることにしたのは本発明の必須の構成要件ではなく、単にリードスイッチの駆動を確実にするために過ぎない。
【００１４】
シリンダ錠は上記したように構成されているから、図４の右方に示すように内筒３を時計方向に回して解錠操作を行い、あるいは図４の左方に示すように内筒３を反時計方向に回して施錠操作を行う場合には、第一永久磁石５，５が第一リードスイッチ４から離間するから、第一リードスイッチ４は開く。
【００１５】
そこで、この第一永久磁石５，５が第一リードスイッチ４から離間したときの第一リードスイッチ４の出力信号を錠前操作信号Ｌとして取り出し、後述の制御器６（図７参照）に供給する。
【００１６】
一方、図５に示すように、錠箱７フロント板８の裏面側に第二リードスイッチ９を装着し、図示しない扉枠の、閉扉時この第二リードスイッチ９と対向する部位に、これも図示しない第二永久磁石を装着する。
【００１７】
上記した構成により、閉扉時には第二永久磁石が第二リードスイッチ９に近接し、開扉時には前者が後者から離間するから、閉扉時と開扉時とでは相互に異なった信号が第二リードスイッチ９から出力する。
【００１８】
そこで、開扉時における出力信号を開扉信号Ｄとして第二リードスイッチ９から取り出し、後述の制御器６（図７参照）に供給する。
【００１９】
他方、図５及び図６に示すように、錠箱のフロント板８に後述の奏鳴器を構成するスピーカー１１を装着する。
【００２０】
次に、制御器６を図７に示すように構成する。すなわち、図７において符号９は前記第二リードスイッチを示し、この第二リードスイッチ９から取り出された開扉信号Ｄを禁止ゲート１２の入力端子に供給する。
【００２１】
また、第一リードスイッチ４から錠前操作信号Ｌを取り出し、この錠前操作信号Ｌを例えば１０秒から２０秒程度の作動時間のタイマー１３を介して上記禁止ゲート１２の禁止入力端子に供給する。
【００２２】
そして、禁止ゲート１２からの出力信号を作動開始信号として奏鳴器１４に供給する。
【００２３】
この奏鳴器１４は、例えば半導体集積回路による音声記憶装置と、増幅器と、上記したスピーカー１１とを有し、作動開始信号を受信すると音声記憶装置に蓄積されていた例えば「鍵を掛けて下さい」或いは「錠をロックして下さい」等の音声による施錠の催告をスピーカー１１を通して外出しようとしている人に伝達する。
【００２４】
或いは、この奏鳴器は単なるチャイムでもよく、要するに施錠の催告と音声が対応していればよい。
【００２５】
上記のように構成されたこの発明の一実施例による施錠催告装置は、人が外出しようとして扉を開けると開扉信号Ｄが発生する。
【００２６】
室内側から扉を開けるときには錠前操作信号Ｌは発生しないから、禁止ゲート１２の禁止入力端子にはタイマー１３からの出力信号は供給されない。
【００２７】
このときには、禁止ゲート１２から出力信号が取り出され、作動開始信号として奏鳴器１４に供給されるので、スピーカー１１から「鍵を掛けて下さい」等の施錠の催告が外出しようとしている人に音声で伝達される。そこで、外出しようとする人は施錠せざるを得ない。
【００２８】
一方、外出から帰ってきた人が解錠して入室しようとすると、先ず錠前操作信号Ｌがタイマー１３に供給され、このタイマー１３から例えば１０〜２０秒間出力信号が禁止ゲート１２の禁止入力端子に供給される。
【００２９】
したがって、その後扉を開けることにより開扉信号Ｄが禁止ゲート１２に送給されたとしても、このタイマー１３からの出力信号が禁止入力端子に印加されている間禁止ゲート１２からの出力信号は無く、当然奏鳴器１４は作動しない。
【００３０】
なお、外出時音声による施錠の催告を無視し、或いは非常にうっかりしてこれに気付かずに施錠を忘れてしまった場合でも、帰宅して入室しようとするとき解錠操作をするから錠前操作信号が出て施錠の催告はなされない。
【００３１】
また、室内に家人が居る、等の理由により施錠をせずに外出した人が帰宅して入室するとき、施錠をしなかったことを忘れずにいて施解錠操作をせずに扉を開けた場合、錠前操作信号Ｌが発生しないから音声による施錠の催告がなされる。
【００３２】
しかしながらこの入室時における施錠の催告は、入室時室内側からサムターンによる施錠を行うことが一般に行われていることからごく自然に聞くことができる。
【００３３】
【発明の効果】
以上の説明から明らかなように、この発明は、外出時音声により施錠の催告をすることができるようにしたから、鍵の掛け忘れを完全に防止して鍵の安全性を向上させるばかりでなく、所謂外出確認信号錠の作動を確実にする、等の効果を奏する。
【図面の簡単な説明】
【図１】第一信号発生器を組込んだシリンダ錠の一部断面正面図。
【図２】第一信号発生器を組込んだシリンダ錠の一部断面側面図。
【図３】第一信号発生器を組込んだシリンダ錠の縦断面図。
【図４】第一信号発生器の作用を説明するための線図。
【図５】この発明による施錠催告装置を備えた錠箱の線図的一部断面側面図。
【図６】図４に示す錠箱の正面図。
【図７】この発明の要部の構成を示すブロック図。
【符号の説明】
１  シリンダ錠
４  第一リードスイッチ
５  第一永久磁石
６  制御器
９  第二リードスイッチ
１１  スピーカー
１２  禁止ゲート
１３  タイマー
１４  奏鳴器
Ｄ  開扉信号
Ｌ  錠前操作信号
【図１】
0003966569.tif 000002
【図２】
0003966569.tif 000003
【図３】
0003966569.tif 000004
【図４】
0003966569.tif 000005
【図５】
0003966569.tif 000006
【図６】
0003966569.tif 000007
【図７】
0003966569.tif 000008